(57)【要約】【課題】電流プログラミングの時間を充分に確保でき、ＴＦＴ等の特性ばらつきや特性ドリフトを充分に補正することが可能な表示装置を提供する。【解決手段】  映像信号から発光素子２２に同じデータを連続して２回以上表示させるための画像データに変換する。そして、同じデータを連続して２回以上表示させる内、１回はプログラミング用の保持容量２８に画像データに応じた書込みを行う駆動と、他の１回は発光素子に供給する電流を補正する駆動を行う。その補正駆動は電圧プログラミングと電流プログラミングを連続して行い、電圧プログラミング時と電流プログラミング時とで発光素子に流れる電流の差を検出する。電流差に基づき輝度−電圧信号及び電流信号の関係を示すデータテーブルの値を補正する。【選択図】図１
2009200409.tif 000002
【特許請求の範囲】
【請求項１】
マトリクス配置された複数の発光素子、
前記複数の発光素子の各々に対して設けられ、前記発光素子に駆動電流を供給する駆動トランジスタと、前記駆動電流をプログラミングするための保持容量とを備えた画素回路、
前記マトリクス配置された複数の発光素子の行に沿って配置され、前記画素回路に選択信号を供給する選択線、ならびに、
前記マトリクス配置された複数の発光素子の列に沿って配置され、前記画素回路に画像データを供給するデータ線、
を有する表示部と、
映像信号が入力され、画像データを生成する信号生成回路と、
前記複数のデータ線の各々に対して設けられ、前記画像データから電圧信号または電流信号を決定して前記データ線に出力する制御ユニットと、
を有する表示装置であって、
前記信号生成回路は、入力された映像信号から同じ映像を連続して２回、前記表示部に表示させる画像データを生成し、
前記制御ユニットは、
前記２回の表示の内、一方の第１表示において、前記画像データから決定された電圧信号を前記データ線に出力し、他方の第２表示において、前記画像データから決定された電流信号を前記データ線に出力する出力切替スイッチと、
前記第２表示における前記電流信号の出力が開始される前と開始された後の前記データ線の電圧変化を検出し、検出された電圧変化に基いて、前記画像データから決定される前記電圧信号または前記電流信号の値を補正する信号補正回路と、
を備えることを特徴とする表示装置。
【請求項２】
マトリクス配置された複数の発光素子、
前記複数の発光素子の各々に対して設けられ、前記発光素子に駆動電流を供給する駆動トランジスタと、前記駆動電流をプログラミングするための保持容量とを備えた画素回路、
前記マトリクス配置された複数の発光素子の行に沿って配置され、前記画素回路に選択信号を供給する選択線、ならびに、
前記マトリクス配置された複数の発光素子の列に沿って配置され、前記画素回路に画像データを供給するデータ線、
を有する表示部と、
映像信号が入力され、画像データを生成する信号生成回路と、
前記データ線に接続され、前記画像データから電圧信号または電流信号を決定して前記データ線に出力する制御ユニットと、
を有する表示装置であって、
前記信号生成回路は、入力された映像信号から同じ映像を連続して２回、前記表示部に表示させる画像データを生成し、
前記制御ユニットは出力切替スイッチと信号補正回路とを有しており、
前記２回の表示の内、一方の第１表示においては、前記出力切替スイッチが前記画像データから決定された電圧信号を前記データ線に出力し、前記選択線の選択信号により選択された前記画素回路が、前記保持容量に前記電圧信号をプログラミングした後、前記保持容量の電圧に従って前記駆動トランジスタから前記発光素子に駆動電流が供給されることにより、前記表示部に映像が表示され、
他方の第２表示においては、前記出力切替スイッチが前記画像データから決定される電流信号を前記データ線に出力すると同時に、前記信号補正回路が、前記電流信号が出力される前と出力された後の前記データ線の電圧変化を検出し、さらに検出された電圧変化に基いて前記画像データから決定される前記電圧信号または電流信号を補正し、前記選択線の選択信号による前記画素回路の選択が終了した後、前記保持容量の電圧に従って前記駆動トランジスタから前記発光素子に駆動電流が供給されることにより、前記表示部に映像が表示されることを特徴とする表示装置。
【請求項３】
前記第２表示に引き続いて前記第１表示が行われる請求項１または２に記載の表示装置。
【請求項４】
前記第１表示に引き続いて前記第２表示が行われる請求項１または２に記載の表示装置。
【請求項５】
前記第２表示において、前記出力切替スイッチが、前記データ線への前記電流信号の出力に先立って、前記データ線に、前記第１表示において出力される前記電圧信号を出力する期間を有する請求項４に記載の表示装置。
【請求項６】
前記第２表示における前記電圧変化の検出が、前記マトリクス配置された複数の発光素子の複数行に１行の割合で順次行われる請求項１または２に記載の表示装置。
【請求項７】
前記表示部は行方向に２分されており、一方の表示部の第１表示と第２表示が、それぞれ、他方の表示部の第２表示と第１表示に並行して行われる請求項１又は２に記載の表示装置。
【発明の詳細な説明】
【技術分野】
【０００１】
本発明は、アクティブマトリクス型表示装置、特に、ＴＦＴや有機ＥＬ素子等の発光素子の特性ばらつきや特性ドリフトを補正する方法に関するものである。
【背景技術】
【０００２】
近年、有機物半導体材料を用いた電子デバイスの開発が広く行なわれており、発光素子である有機ＥＬ（Electro-Luminescence）や、有機ＴＦＴ（Thin Film Transistor）、有機太陽電池等が開発されている。中でも有機ＥＬ表示装置は有望視されている。
【０００３】
有機ＥＬ表示装置には、パッシブマトリクス型とアクティブマトリクス型がある。パッシブマトリクス型は点滅駆動が前提となり、点灯時に流す電流値が大きくなるため、素子の輝度と寿命の関係には深刻なトレードオフが存在し、高輝度な表示装置を得ることが難しいとされている。
【０００４】
一方、アクティブマトリクス型は常時点灯に近い動作が可能となるため、点灯時に素子に流す電流値を低くすることができ、有機ＥＬ素子の長寿命化に有効とされる。しかし、アクティブマトリクス型はＴＦＴや有機ＥＬ素子の特性ばらつきや特性ドリフトを克服することが課題となっている。
【０００５】
このため、電圧プログラミング法、電流プログラミング法等が提案され、主にＴＦＴの特性ばらつきや特性ドリフト（主に閾値ドリフト）を補正する試みがなされている（非特許文献１）。
【非特許文献１】月刊ディスプレイ２００４年９月号７７ページから８２ページ
【発明の開示】
【発明が解決しようとする課題】
【０００６】
アクティブマトリクス型表示装置は、配線の容量が大きく、各画素の保持容量に電流によりデータを書込もうとすると、同時に配線の容量にチャージアップしなければならないため、その駆動方法は一般的に時間がかる。一方、表示装置が大型化、高精細化すると、画素数が増え、横の走査線の本数も増えるため、各画素にデータを書込むために用いることのできる時間がその分短くなる。このままでは電流プログラミングは行えなくなり、上述の補正を充分行えない課題があった。
【０００７】
本発明の目的は、電流プログラミングの時間を充分に確保でき、ＴＦＴや有機ＥＬ素子等の発光素子の特性ばらつきや特性ドリフトを充分補正することが可能な表示装置を提供することにある。
【課題を解決するための手段】
【０００８】
本発明は、マトリクス配置された複数の発光素子、前記複数の発光素子の各々に対して設けられ、前記発光素子に駆動電流を供給する駆動トランジスタと、前記駆動電流をプログラミングするための保持容量とを備えた画素回路、前記マトリクス配置された複数の発光素子の行に沿って配置され、前記画素回路に選択信号を供給する選択線、ならびに、前記マトリクス配置された複数の発光素子の列に沿って配置され、前記画素回路に画像データを供給するデータ線、を有する表示部と、映像信号が入力され、画像データを生成する信号生成回路と、前記複数のデータ線の各々に対して設けられ、前記画像データから電圧信号または電流信号を決定して前記データ線に出力する制御ユニットと、を有する表示装置であって、前記信号生成回路は、入力された映像信号から同じ映像を連続して２回、前記表示部に表示させる画像データを生成し、前記制御ユニットは、前記２回の表示の内、一方の第１表示において、前記画像データから決定された電圧信号を前記データ線に出力し、他方の第２表示において、前記画像データから決定された電流信号を前記データ線に出力する出力切替スイッチと、前記第２表示における前記電流信号の出力が開始される前と開始された後の前記データ線の電圧変化を検出し、検出された電圧変化に基いて、前記画像データから決定される前記電圧信号または前記電流信号の値を補正する信号補正回路と、を備えることを特徴とする。
【０００９】
また、本発明は、マトリクス配置された複数の発光素子、前記複数の発光素子の各々に対して設けられ、前記発光素子に駆動電流を供給する駆動トランジスタと、前記駆動電流をプログラミングするための保持容量とを備えた画素回路、前記マトリクス配置された複数の発光素子の行に沿って配置され、前記画素回路に選択信号を供給する選択線、ならびに、前記マトリクス配置された複数の発光素子の列に沿って配置され、前記画素回路に画像データを供給するデータ線、を有する表示部と、映像信号が入力され、画像データを生成する信号生成回路と、前記データ線に接続され、前記画像データから電圧信号または電流信号を決定して前記データ線に出力する制御ユニットと、を有する表示装置であって、前記信号生成回路は、入力された映像信号から同じ映像を連続して２回、前記表示部に表示させる画像データを生成し、前記制御ユニットは出力切替スイッチと信号補正回路とを有しており、前記２回の表示の内、一方の第１表示においては、前記出力切替スイッチが前記画像データから決定された電圧信号を前記データ線に出力し、前記選択線の選択信号により選択された前記画素回路が、前記保持容量に前記電圧信号をプログラミングした後、前記保持容量の電圧に従って前記駆動トランジスタから前記発光素子に駆動電流が供給されることにより、前記表示部に映像が表示され、他方の第２表示においては、前記出力切替スイッチが前記画像データから決定される電流信号を前記データ線に出力すると同時に、前記信号補正回路が、前記電流信号が出力される前と出力された後の前記データ線の電圧変化を検出し、さらに検出された電圧変化に基いて前記画像データから決定される前記電圧信号または電流信号を補正し、前記選択線の選択信号による前記画素回路の選択が終了した後、前記保持容量の電圧に従って前記駆動トランジスタから前記発光素子に駆動電流が供給されることにより、前記表示部に映像が表示されることを特徴とする。
【発明の効果】
【００１０】
本発明によれば、電流プログラミングによる補正の時間を充分に取ることが出来、トランジスタや有機ＥＬ素子等の発光素子の特性ばらつきや特性ドリフトを精度良く補正することが可能となる。特に、本発明は倍周波の表示を行うものに好適に使用でき、電流プログラミングによる補正の時間が充分に取ることが出来るため、補正精度を高めることができる。
【００１１】
更に、上下分割駆動を行う倍周波の表示において、適切な表示が行える上に電流プログラミングによる補正の時間が充分に取ることが出来、補正を精度良く行うことが可能となる。また、携帯機器の表示のように静止画像やフレーム（またはフィールド）表示レートの遅い表示で、各画素に２回以上連続して同じデータを表示するものにおいても、電流プログラミングによる補正の時間が充分に取ることが出来、同様に補正を精度良く行うことが可能となる。
【００１２】
また、電流プログラミングによる補正を行う際には画面全体の画素を１フレーム表示期間で行うのでなく数回のフレーム表示期間で行うので、電流プログラミングによる補正の時間が充分に取ることが出来、補正を精度良く行うことが可能となる。
【発明を実施するための最良の形態】
【００１３】
次に、発明を実施するための最良の形態について図面を参照して詳細に説明する。
【００１４】
（第１の実施形態）
図１は本発明の第１の実施形態に係るアクティブマトリクス型表示装置を示すブロック構成図である。表示装置１は少なくとも表示制御部３、Ａ／Ｄ変換回路とサンプリング回路の機能を有するブロック４を有する。（このブロック４を簡単のためＡ／Ｄ変換回路４という）。
【００１５】
更に、画像変換回路５、駆動制御回路６、Ｘドライバ７、Ｙドライバ８及びアクティブマトリスク型表示部９を有する。表示制御部３、Ａ／Ｄ変換回路とサンプリング回路の機能を有するブロック４、ならびに画像変換回路５は、全体で、入力された映像信号から表示のための画像データを生成するので、以下、これをまとめて信号生成回路７０ということにする。
【００１６】
表示部９は複数の発光素子とその駆動回路等を含む画素がマトリクス配置されたものである。発光素子には、例えば、有機ＥＬ素子を用いるものとする。
【００１７】
表示制御部３は装置内の各部を制御する制御回路であり、外部から入力される映像信号２を画素毎のデジタルデータに変換するための一連の制御及びそのデジタルデータを表示部９に表示する一連の制御等を行う。
【００１８】
映像信号２はビデオ信号等のアナログ信号であってもＤＶＤ等のデジタル信号であっても良い。以下アナログ信号として説明する。映像信号２が表示装置１に入力されると、表示制御部３からの指示に従いＡ／Ｄ変換回路４によってデジタルデータ１２に変換され、画像変換回路５に送られる。
【００１９】
図２は画像変換回路５の内部構成を示すブロック図、図３は外部から送られる映像信号と画像変換回路５によって生成された画像データの時間関係を示す図である。図２に示すように画像変換回路５はバッファメモリ１とバッファメモリ２から構成され、それぞれ１フレーム（またはフィールド）分の画像データを生成、記録できる。本実施形態では、１フレームとして説明する。
【００２０】
表示制御部３からの制御信号１３に従ってＡ／Ｄ変換回路４から送られてくるデジタル映像信号１２を１フレームずつ切り替えてバッファメモリ１とバッファメモリ２に振り分けて順次記録する。一方、記録操作を行っているバッファメモリに対し、他方のバッファメモリに記録されているデータが読み出され、画像データ１４として駆動制御回路６に送られる。この際、記録周波数の２倍の周波数で読み出すことにより同じフレームの映像信号が画像データとして２度ずつ読み出され、倍周波数の画像データを得ることが出来る。
【００２１】
図３（ａ）はＡ/Ｄ変換回路４から送られるＮフレーム（またはフィールド）／秒のデジタル映像信号（映像データ）１２の流れを示す。即ち、Ｉ番目のフレームからＩ＋３番目のフレームの映像データの流れを示し、各フレームの画像データ中には１つの画面の各画素の映像信号が時系列に並んでいる。
【００２２】
図３（ｂ）は画像変換回路５によって変換された画像データ１４を示す。図３（ａ）に対して２倍の２Ｎフレーム（またはフィールド）／秒の表示を行う場合を示す。一矩形信号は一表示期間を示すものとする。説明の都合上、フレーム間に間が空いているが、特に空ける必要はなく続けて表示しても良い。
【００２３】
図３（ａ）の映像データはＩフレーム、Ｉ＋１フレーム、…、の順に画像変換回路５内のバッファメモリ１と２に１フレームずつ交互に振り分けて記録される。記録中の映像データの一つ前のフレームのデータが他方のバッファメモリから読み出され、画像データ14として駆動制御回路６に送られていく。例えば、バッファメモリ１にＩフレームのデータが既に記録され、バッファメモリ２にＩ＋１フレームのデータを記録中とする。
【００２４】
その際、図３（ｂ）に示すようにＩ＋１フレームの映像データがバッファメモリ２に記録されている時にＩフレームの画像データがバッファメモリ１から２度続けて読み出される。以後、一つ遅れる形で２度ずつ読み出されて表示される。具体的な例として、映像データが６０フレーム／秒とすると、表示部９に表示される１フレームの表示時間は１２０分の１秒となる。
【００２５】
図４は６０フレーム／秒の映像データを２倍の周波数で同じ画像を２回ずつ表示する場合の走査線毎の表示タイミングを示す。１５は表示部９の表示画面を示していて、その横の８本の線は表示画面の横の位置での走査線（横一列の画素列（行））を代表して示す。図面上で右に進むほど時間が進んでいるものとする。
【００２６】
１６で示す期間で一回目のフレーム表示を行う。それぞれの矢印の始点の位置で画素にアクセスして画像データを電圧プログラミングにより保持容量（図示せず）に書込む。書込まれた値は矢印の終点（新たに書込まれるまで）までホールドされ、その間、発光素子にデータに従った電流が供給され点灯する。続いて、１７で示す期間で２回目のフレーム表示を行う。
【００２７】
図１に戻って説明を続ける。本発明は各画素に同じデータの表示を少なくとも２回以上続けて表示するものに適応できる。ここでは、画像変換回路５として図２のものを用い、映像信号２を６０フレーム／秒の画像データとし、画像変換回路５で１２０フレーム／秒の表示データに変換するものとする。
【００２８】
駆動制御回路６は、まず、Ｙドライバ８を制御し、表示部９の選択線を順番に選択しながら選択した横一列（行）の画素にデータを順番に書込めるようにする。続いて、データが書込めるようになった横一列（行）の画素に対してＸドライバ７を制御し、１回目のフレーム表示において信号生成回路７０から送られてきた画像データを電圧信号としてデータ線を介して画素回路に送り込む。そして、電圧信号による画素回路の書込みすなわち電圧プログラミングを行う。画素回路を行単位で選択し、順次電圧をプログラミングする。プログラミングが終了した画素回路は、保持容量に電圧信号が保持されているので、駆動トランジスタ２７から駆動電流が発光素子に流れる。このように、データ線１８を介して画素回路に電圧信号をプログラミングし、表示部に表示させる動作を、以下、第１表示と呼ぶ。
【００２９】
２回目のフレーム表示においては、信号生成回路７０から送られてきた画像データを電流信号としてデータ線を介して画素回路に送り、電流信号による画素回路の書込みすなわち電流プログラミングを行う。以下、これを第２表示と呼ぶ。さらに第２表示では、電圧プログラミング時に書込まれた電圧値に対応した電流が画素回路に送り込まれているか否かを検知する。電圧プログラミングで書込まれた信号電圧が、電流プログラミング時の信号電流に対応しないときは電圧プログラミング時の電圧の補正を行う。
【００３０】
電流プログラミングが終了した画素回路では、電流信号に対応した電圧が保持容量に保持されているので、駆動トランジスタ２７から駆動電流が発光素子に流れる。
【００３１】
しかし、第２表示を行う目的は電圧信号の補正であって、必ずしも画素回路への電流信号の書込み（電流プログラミング）が完了する必要はない。電流信号の書込みが完了しないうちに画素回路の選択が終了すると、保持容量には電圧プログラミング時の電圧が履歴として残っていることになる。その電圧は、電圧プログラミングの保持電圧と電流プログラミングの保持電圧の中間的な電圧なので、表示もそれに対応したものとなる。
【００３２】
図５は表示部９の一例を示す。図５に示すようにアクティブマトリクス型表示装置は交差する複数のデータ線１８−１、１８−２、…と、複数の選択線１９−１、１９−２、…を持っている。それぞれの交点に画素２０−１、２０−２、…が配置されている。画素２０−１、２０−２、…は発光素子である有機ＥＬ素子２２−１、２２−２、…と、画素回路２１−１、２１−２、…を備えている。発光素子２２を含む画素２０はマトリクス配置されている。
【００３３】
複数のデータ線１８−１、１８−２、…にはそれぞれ制御ユニット２３−１、２３−２、…が接続されている。制御ユニット２３−１、２３−２、…はそれぞれ電圧源、電流源、電圧差検出回路、論理回路及び制御回路、データテーブル、スイッチ等を備えている。制御ユニットについて、以下詳しく説明する。
【００３４】
図６は本発明に係る表示装置の画素回路及び制御ユニットの一例を示す。図６に示すように交差するデータ線１８と選択線１９の交点に対応して画素回路２１と発光素子の有機ＥＬ素子２２からなる画素２０が配置されている。
【００３５】
データ線１８には制御ユニット２３が接続されている。制御ユニット２３は図１や後述する図９の構成においてＸドライバ７内もしくは駆動制御回路６内に配置されている。制御ユニット２３は電圧信号を発生させる電圧源３３、電流信号を流すための電流源３４、電圧差検出回路３０、論理回路及び制御回路３１、論理回路及び制御回路３１に接続されたデータテーブル３２、スイッチ３５、３６を備えている。
【００３６】
出力切替スイッチ３５は、データ線１８に電圧源３３、電流源３４のいずれかを接続する切り替えを行う。すなわち、制御ユニット２３からデータ線１８に出力されるデータ信号を電圧源３３が発生する電圧信号にするか、電流源３４が発生する電流信号にするかを切り替える出力切替スイッチである。
【００３７】
電圧差検出回路３０はコンパレータ回路であって電圧プログラミング時と電流プログラミング時のデータ線の電圧変化を検知する。スイッチ３６はデータ線１８に電圧差検出回路３０の２つの入力のいずれかを接続する切り替えを行う。電圧差検出回路３０の一方の入力端子には容量３７が接続されている。出力切替スイッチ３５が電圧源３３をデータ線１８に接続するとき、スイッチ３６は、電圧差検出回路３０の容量３７のある方の入力端子に接続され、データ線１８の電圧が容量３７に保持される。
【００３８】
次いで、出力切替スイッチ３５がデータ線１８の接続先を電流源３４に切り替えると、スイッチ３６も、電圧差検出回路３０の容量３７のない方の入力端子に切り替わる。そして電流信号がデータ線１８を介して画素回路２１に流れている間のデータ線電圧が電圧差検出回路３０に入力され、容量３７に保持されていた電圧と比較される。電圧比較のタイミング、すなわち電圧差検出器出力を、検出値として論理回路及び制御回路３１に取り込むタイミングは、電流プログラミング開始後の任意のタイミングでよい。電圧変化は大きいほうが検出しやすいので、検出精度を高めるためには、データ線電圧変化が飽和した後、つまり電流プログラミング終了後が好ましい。
【００３９】
しかし、変化の方向だけ知れればよいというように検出精度を高める必要がない場合は、電流プログラミング開始後すぐのタイミングであってもよい。いずれにせよ、電流信号がデータ線に供給される前と供給された後のデータ線電圧の変化を検出することにより、電圧信号と電流信号のずれが検知できる。
【００４０】
一方、画素回路２１はそれぞれ第１及び第２のスイッチ（トランジスタで構成）２４、２５、カレントミラー回路を構成する入力トランジスタ２６、駆動トランジスタ２７を備えている。２８は電圧を保持する保持容量（プログラミング容量）、２９は駆動トランジスタ２７のソースに接続された電圧源である。２２は発光素子である有機ＥＬ素子を示す。
【００４１】
本実施形態では、表示部９に同じ画像を２回続けて表示する。画像データは図１に示す信号生成回路７０により生成される。それぞれの表示期間で選択線１９の信号によってスイッチ２４、２５がオンすると、画素に対して電圧プログラミングもしくは電流プログラミングが行われ、画像データに従う値が保持容量２８に書込まれる。そして、選択線１９の信号に従いスイッチ２４、２５がオフすると、次に画像データが書換えられるまで保持容量２８の値に従ったＥＬ駆動電流が電源２９から駆動トランジスタ２７を経て有機ＥＬ素子２２に供給される。
【００４２】
今、選択線１９の信号によりスイッチ２４、２５がオンしているものとする。まず、１回目のフレーム表示は第１表示を行う。
【００４３】
論理回路及び制御回路３１は、信号発生回路７０から伝えられた画像データに従い、電圧信号を決めて電圧源３３にその値をセットする。この値を決めるためにデータテーブル３２を読みに行く。データテーブル３２には輝度と電圧−電流信号の関係を示す情報が格納されており、画像データはその画像の輝度データとみなされて、それに対応する電圧信号と電流信号がデータテーブル３２から読み出される。
【００４４】
１回目のフレーム表示のデータ書込み期間にはスイッチ３５はＡ側の電圧源３３に接続され、論理回路及び制御回路３１により決定された電圧信号が画素回路２１に供給され、画素回路２１内の保持容量２８にこの所定電圧が書込まれる。この時、画素回路２１内の駆動トランジスタ２７と有機ＥＬ素子２２にも電流が流れている。その後、選択線１９の信号によりスイッチ２４、２５がオフし、次に選択されるまで保持容量２８の値に従った電流が電源２９から駆動トランジスタ２７を経て有機ＥＬ素子２２に流れ、有機ＥＬ素子２２が一定の輝度で発光する。
【００４５】
続いて、２回目のフレーム表示で第２表示を行う。論理回路及び制御回路３１は、前回の第１表示と同じ画像データを受けて、データテーブル３２を参照して電圧信号と電流信号を決定し、それぞれ電圧源３３と電流源３４にその値をセットする。
【００４６】
本実施形態においては、第２表示は、電流プログラミングだけを行うのではなく、その直前に電圧プログラミング期間を設け、短時間、電圧信号をデータ線に出力する。すなわち、選択線１９の信号によりスイッチ２４、２５がオンすると、まず、スイッチ３５と３６は両方ともＡ側に接続され、電圧プログラミングにより保持容量２８に保持されているデータを上書きする。電圧信号値は容量３７に書込まれる。
【００４７】
続いて、スイッチ３５と３６はＢ側に接続され、電流源３４に設定された電流信号がデータ線に出力され、スイッチ２４、２５を経てトランジスタ２６と有機ＥＬ素子２２に供給される。
【００４８】
この電流が直前の電圧プログラミング時に有機ＥＬ素子２２に流れる電流と一致するならデータ線電位は変わらない。しかし、トランジスタの閾値電圧、飽和電流値、発光素子の端子間電圧のどれかが劣化等によりデータテーブル３２に設定されている値と変化していると、両者の電流は一致せず、データ線電位が変動する。電圧プログラミングによる電圧が正しい電流を与える電圧より小さい時はデータ線電位は上昇し、逆に正しい電流を与える電圧より大きい時はデータ線電位は下降する。電圧変化の向きから電圧データが適正値より高いのか低いのかがわかり、電圧変化の大きさから、適正電圧からのずれの程度がわかる。電圧プログラミングから電流プログラミングに切り替わった直後は、電圧差は０だが、その後データ線電位の上昇または下降が生じて、電流プログラミングが終了すると飽和する。
【００４９】
電圧差は大きいほうが検出しやすいので、直前に電圧信号を印加するのは、データ線電圧をその電圧信号に等しくするためである。通常、データ線電位は、直前の他の画素の電圧信号によって決められているので、当該画素の画像データの電圧に設定しておく必要がある。
【００５０】
しかし、データ線の寄生容量が小さく、スイッチ２４,２５が閉じて画素回路２１が選択されたときにその画素回路の保持容量２８の電圧が直ちにデータ線電位として伝わるような場合は、データ線電位が、それまでの保持容量２８の電位に一致している。すなわち先立って行われた第１表示の信号電位に一致しているので、あらためてデータ線電位を設定する必要はなく、このときは、第２表示を電圧プログラミングなしで行ってもよい。
【００５１】
いずれにしても、同じ画像データが送られて、電圧プログラミングと電流プログラミングが引き続いて行われたときのデータ線電圧の変化は、電圧差検出回路３０によって検知される。電圧プログラミング時の電圧信号は容量３７に書込まれているので、それに続く電流プログラミング時のデータ線電圧がＢ側の電圧差検出回路３０に入力され、容量３７に書込まれた電圧値との差が出力される。その結果は論理回路及び制御回路３１に送られる。
【００５２】
論理回路及び制御回路３１は、検出された電圧差に従い、両者が近づくようにデータテーブル３２を書換える。即ち、電圧プログラミング時の発光素子電流と電流プログラミング時の発光素子電流とが一致するようにデータテーブル３２の電圧信号のデータを補正する。この結果トランジスタと有機ＥＬ素子の特性ばらつきや特性ドリフトを補正することが可能となる。
【００５３】
電圧信号の補正は、検出された電圧差を元の電圧信号に上乗せする（または差し引く）ようにすればよいが、必ずしもそれに限るわけではない。
【００５４】
通常、有機ＥＬ素子などでは、データテーブルの電圧信号と電流信号のうち、電圧信号のほうを書き換えるが、電流信号を書き換えてもよい。有機ＥＬ素子は電流駆動型の発光素子で、駆動電流が輝度を決定する。電圧信号は、発光素子の劣化、駆動トランジスタの閾値変動などの要因で輝度との関係が変動するので、輝度が与えられたとき、電流信号は固定して電圧信号を補正するほうが所定の輝度を得やすい。しかし、有機ＥＬ素子は、劣化によって輝度と電流との関係も変化するので、電圧補正だけでは輝度変動を完全に抑えることができない。その場合は、電圧データに加えて電流データも補正する。
【００５５】
以上説明したように、制御ユニット中の電圧差検出回路３０、論理回路及び制御回路３１、データテーブル３２、スイッチ３６、容量３７は、全体としてデータテーブルの補正を行うための回路である。以下これらをまとめて信号補正回路７１という。
【００５６】
図７は駆動制御回路６の動作を示すタイミングチャートである。図７を参照して本実施形態の動作を詳しく説明する。Ｓｉｇ．１は表示制御部３からの信号、Ｓｉｇ．２は画像変換回路５からの信号、Ｓｉｇ．３はＹドライバ８への出力信号、Ｓｉｇ４．はＸドライバ７への出力信号である。図７はＩフレームの画像データを２回表示する動作を示す。
【００５７】
表示制御部３は１回目の表示の場合には“１”、２回目の表示の場合には“０”の信号をＳｉｇ．１として出力する。１回目のフレーム表示の際には駆動制御回路６はＳｉｇ．１の信号を受けて電圧プログラミングによりＳｉｇ．２の画像データに従って決められる電圧値を画素回路２１内の容量２８に書込む。
【００５８】
まず、Ｓｉｇ．３の信号によりフレーム表示の開始をＹドライバ８に指令すると共に、Ｓｉｇ．４の信号により常に“１”の信号をＸドライバ７に送り、電圧プログラミングを行うように指令する。
【００５９】
Ｙドライバ８はＳｉｇ．３の信号を受けて順次行単位で画素回路を選択し、選択された画素回路に画像データの書込みが行われるように選択線１９に信号を出力する。図７のＹドライバの出力は１行目からｐ行目まで順番に選択する選択信号を示す。具体的にハイビジョン用のパネルを考えると、その画素数は１０８０×１９２０（行×列）となり、Ｙドライバ８の選択線の数は１行目から１０８０行目となる。また、ＶＧＡのパネルでは４８０×６４０（行×列）となるので、Ｙドライバ８の選択線の数は１行目から４８０行目となる。
【００６０】
Ｘドライバ７はＳｉｇ．３の開始信号とＳｉｇ．４の信号を受けてＹドライバ８により選択されている行（横一列）に書込む画像データを用意し、データ線１８に出力して各々の画素回路２１に画像データを書込む。これは、上述のように画像データに従う電圧値を電圧源３３にセットし、画素回路２１の保持容量２８に書込むことである。その後、次の新たな書込みまで、書込まれている値に従った電流が発光素子である有機ＥＬ素子２２に対して電源２９から供給され、有機ＥＬ素子２２が点灯し続ける。
【００６１】
図７ではＸドライバの出力を代表してｑ列目の出力信号を示す。具体的にハイビジョン用のパネルでは、１９２０列の各々にＲＧＢのサブピクセルがあるので５７６０列の出力となる。また、ＶＧＡのパネルでは、６４０列の各々にＲＧＢのサブピクセルがあるので、１９２０列の出力となる。
【００６２】
２回目のフレーム表示の際には駆動制御回路６はＳｉｇ．１の信号を受けて電圧プログラミングの後に電流プログラミングにより画像データに従った電流量を画素回路２１内に流し、プログラミングを行う。その際、上述のように先に書込んだ電圧プログラミングにより書込まれた値と、電流プログラミングによってデータ線に生じる電圧値との差が電圧差検出回路３０よって検知される。差が検知されると、上述のように駆動制御回路６はその差に従って電圧プログラミングによる書込みの電圧値を補正し、次回からのプログラミングで電流プログラミングとの差がでないようにする。
【００６３】
まず、Ｓｉｇ．３の信号によりフレーム表示の開始をＹドライバ８に指令すると共に、Ｓｉｇ．４の信号により“１”と“０”の繰り返し信号をＸドライバ７に送る。信号“１”の期間は電圧プログラミングを行い、“０”の期間は電流プログラミングを行う。この“１”の期間と“０”の期間の和の期間が各行の選択期間と同じになり、“１”と“０”は所定の比となる。
【００６４】
Ｙドライバ８はＳｉｇ．３の信号を受けて順次行単位で画素回路を選択する選択信号を選択線１９に供給する。これは、前述した１回目の表示と同じ信号となる。Ｘドライバ７はＳｉｇ．３の開始信号とＳｉｇ．４の“１”の信号を受けてＹドライバ８により選択されている行（横一列）の書込みデータに対応する電圧値をまず用意し、データ線１８に出力して各々の画素回路２１に画像データを書込む。
【００６５】
その際、制御ユニット２３においてスイッチ３５と３６をＡ側に接続し、各画素に書込まれた電圧値を容量３７に書込む。続いて、Ｓｉｇ．４の“０”の信号を受けて同じ書込みデータに対応する電流値を用意し、データ線１８に出力して各々の画素回路２１に画像データを書込む。
【００６６】
次に、制御ユニット２３においてスイッチ３５と３６をＢ側に接続し、各画素に書込まれた電流によってデータ線に生じる電圧を電圧差検出回路３０に入力する。そして、次の行に選択が移る前に電圧プログラミングにより生じるデータ線電圧値と電流プログラミングにより生じるデータ線電圧値との差を電圧差検知回路３０により検知する。差がある場合には電圧プログラミングの信号電圧値の補正を行う。すなわちデータテーブル３２に書込まれている電圧信号の値を書換え、次回の電圧プログラミング時から反映する。画素回路は、その後、次の新たな書込みまで、保持容量に書込まれている電圧に従った電流が発光素子に供給され、発光素子は点灯し続ける。
【００６７】
このように１回目のフレーム表示において電圧プログラミングで画像データを画素回路２１の保持容量２８に書込み、２回目のフレーム表示において電圧プログラミングの後に電流プログラミングを行ってデータ線電圧の変化を検知する。そして、制御ユニット２３内のデータテーブルに書かれている電圧プログラミングに用いる電圧データを補正することで、次回以降の電圧プログラミングの誤差を補正できる。
【００６８】
さらに、ここまで、２回目のフレーム表示において補正操作を行う方式について説明したが、プログラミングの速度が速くなるか、フレームレートが遅い場合は、１回目のフレーム表示において、全行を選択して補正を行うことも可能となる。また、１回目のフレーム表示で、第２表示すなわちデータの補正を行い、２回目のフレーム表示で補正された値を用いて表示することにより、よりリアルタイムな補正駆動ができる。
【００６９】
（第２の実施形態）
次に、本発明の第２の実施形態について説明する。第２の実施形態では２回目のフレーム表示の駆動を工夫することで電流プログラミングに用いる時間を長く取れるようにするものである。本実施形態の表示装置の構成は図１、図２と同じである。
【００７０】
図８は本実施形態の駆動制御回路の動作を示すタイミングチャートである。Ｓｉｇ．１は表示制御部３からの信号、Ｓｉｇ．２は画像変換回路５からの信号、Ｓｉｇ．３はＹドライバ８への出力信号、Ｓｉｇ．４はＸドライバ７への出力信号である。Ｉフレームの映像データを２回表示する動作を示す。
【００７１】
表示制御部３は図７と同様に１回目の表示の場合は“１”、２回目の表示の場合は“０”の信号をＳｉｇ．１として出力する。１回目のフレーム表示は図７の説明と同様であるので省略する。
【００７２】
２回目のフレーム表示の際には数本おきの行に対して選択的に電圧プログラミングと電流プログラミングを行い、その誤差を検知して電圧信号値の補正を行う。図８では４本おきに行う例を示す。つまり、Ｉフレームの２回目の表示では、１行目、５行目、９行目、…と選択する。次のＩ＋１フレームの２回目の表示では、２行目、６行目、１０行目、…と選択する。このように連続４フレームについて２回ずつの表示が終わると、パネル全体の画素に対する補正走査が終了する。
【００７３】
図７の例に比べると、選択期間が４倍になっているので、その分、電圧プログラミング及び電流プログラミングに要する時間を長く取ることが出来る。特に、電流プログラミングは電圧プログラミングより時間がかかるので、“１”と“０”の比は図８のＳｉｇ．４に示すように“０”の期間を長く取ることになる。
【００７４】
まず、Ｓｉｇ．３の信号によりフレーム表示の開始をＹドライバ８に指令すると共に、Ｓｉｇ．４の信号により“１”と“０”の繰り返し信号をＸドライバ７に送る。図７の場合と同様に信号“１”の期間は電圧プログラミング、“０”の期間は電流プログラミングを行う。
【００７５】
Ｙドライバ８はＳｉｇ．３の信号を受けて予め決められた本数おきの行を選択し、データの書込みができるように選択線１９に信号を出力する。Ｘドライバ７はＳｉｇ．３の開始信号とＳｉｇ．４の“１”の信号を受けてＹドライバ８により選択されている行（横一列）の書込みデータに対応する電圧値をまず用意し、データ線１８に出力して各々の画素回路に画像データを書込む。
【００７６】
その際、制御ユニット２３においてスイッチ３５と３６をＡ側に接続し、各画素に書込まれた電圧値を容量３７に書込む。続いて、Ｓｉｇ．４の“０”の信号を受けて同じ書込みデータに対応する電流値を用意し、データ線１８に出力して各々の画素回路２１に画像データを書込む。
【００７７】
更に、制御ユニット２３においてスイッチ３５と３６をＢ側に接続し、各画素に書込まれた電流によるデータ線電圧を差検出回路３０に入力する。そして、次の行に選択が移る前に電圧プログラミングによりデータ線に生じる電圧と電流プログラミングによりデータ線に生じる電圧との差を電圧差検出回路により検知する。その検知結果、電圧変化がある場合には電圧プログラミング時の信号電圧値の補正を行い、データテーブル３２に書込まれている電圧信号の値を書換え、次回の電圧プログラミング時から反映する。
【００７８】
選択されなかった行の画素回路は１回目の書込みデータを保持し、次の新たな書込みまで、書込まれている値に従った電流が発光素子に供給され、発光素子は点灯し続ける。この動作を連続４フレームについて２回ずつの表示が終わると、パネル全体の画素に対する補正走査を終了する。
【００７９】
このように１回目のフレーム表示において電圧プログラミングで画像データを画素回路の保持容量に書込み、２回目のフレーム表示において数本おきに電圧プログラミングの後に電流プログラミングによる電圧変化を検知する。そして、同様に制御ユニット２３内のデータテーブルに書かれている電圧プログラミングに用いる電圧信号を補正することで、電圧プログラミングと電流プログラミングを続けて行う期間を長く取ることが可能となる。特に、電流プログラミングにかかる時間を長く取れるため、上述のような補正を正確に行うことが出来る。
【００８０】
なお、第２の実施形態では、表示部の行に対して４本おきに選択する例を示したが、本発明はこれに限らず、任意の数の複数行に１行の割合で選択する方法において適用できる。選択する行数が少ないほうが、第２表示における１本あたりの補正のための時間が長く取れて、精度が向上する。しかし、１つの画素から見ると、選択空次の選択までの間隔が長くなり、その間の変化には対応できない。
【００８１】
（第３の実施形態）
図９は本発明の第３の実施形態を示すブロック図である。第１、第２の実施形態と同様に同じ画像データを続けて二度ずつ各画素に表示する。図９では図１と同じ機能のものには同じ番号を付している。図９ではアクティブマトリクス型の表示装置で、中央で行方向に２分され、上下の表示部が別々に駆動される。そのため、Ｘドライバは上側Ｘドライバ３９と、下側Ｘドライバ４０と２つになっている。
【００８２】
本実施形態の画像変換回路５の構成を図１０に示す。画像変換回路５は同様に２フレーム分（又は１フィールド分）のバッファメモリ４１と４２よりなっている。映像信号２が表示装置１に入力されると、表示制御部３からの指示に従いＡ／Ｄ変換回路４によってＮフレーム／秒の画像データに変換される。画像データ４３は画像変換回路５に送られ、切替え信号４４に従い一フレーム毎にバッファメモリ４１とバッファメモリ４２に交互に蓄積される。
【００８３】
図２との違いは、バッファメモリ４１と４２がそれぞれ２分割され、上半分の表示データと下半分の表示データが独立して読み出せる点である。そして、それぞれ、上側Ｘドライバ３９、下側Ｘドライバ４０に送られ、Ｙドライバ８により選択された上下２分割した表示部３８の上半分と下半分にそれぞれ独立して表示データを書込む。バッファメモリ４１及び４２に書込む周波数の２倍の周波数で表示データ４５を読み出すことで、倍周波の画像データに変換することが出来る。
【００８４】
図１１はＡ／Ｄ変換回路４から送られてくる画像データと、画像変換回路５によって変換された表示データの時間関係を示す図である。４６から４９はＩフレームからＩ＋３フレームを示しており、それぞれＤ０上とＤ０下、Ｄ１上とＤ１下、Ｄ２上とＤ２下、Ｄ３上とＤ３下の上画面データと下画面データよりなっている。
【００８５】
図１１（ａ）は画像データ４３を示す。画像データが送られてくるタイミングに対して５０で示す一定時間の遅延の後に表示部３７の上画面に対して図１１（ｂ）の上部表示部の表示データが送られ表示される。また、表示部３７の下画面に対して図１１（ｃ）の下部表示部の表示データが送られ表示される。説明の都合上、フレーム間に間が空いているが、特に空ける必要はなく続けて表示しても良い。
【００８６】
表示部３７の上画面と下画面の境界での走査の連続性を考えると、下画面の走査の開始は上画面の最下位置の走査が終わったのに続いて下画面の最上位置の走査を始めるのが望ましい。５０の遅延時間は画像変換回路５やバッファメモリへのデータの書込み、読み出しによって生じる装置固有の時間である。
【００８７】
この方法では、図１１（ｂ）、図１１（ｃ）から分かるように５１の破線内に示すように上画面にＩ＋１フレームの上画面データが表示されている時に下画面に一つ前のＩフレームの下画面データを表示する第１の走査を行う。また、第１の走査に続いて５２の破線内に示すように上画面にＩ＋１フレームの上画面データが表示されている時に下画面に同じＩ＋１フレームの下画面データを表示する第２の走査を行う。
【００８８】
このように分割された表示部をそれぞれ同時に並行して走査し、各走査で同じ画像データを引き続いて２回表示する。さらに、上下の表示部の走査は半フレーム期間ずらせる。第１の走査と第２の走査を繰り返し行うことにより、Ｎフレーム／秒の画像の表示で、一フレームの表示時間をＮ分の一秒としたまま各画素へのアクセス回数を２Ｎ回／秒にすることができる。そのため、元の映像に忠実な表示でありながら各画素に対して同じ画像データを二度ずつ続けて表示することができる。具体的な数字で示すと、元の映像が６０フレーム／秒だとすると、一フレームの表示時間は６０分の一秒であり、各画素へのアクセス回数は１２０回／秒となる。
【００８９】
また、１回目のフレーム表示において電圧プログラミングでデータを書込み、２回目の表示において電圧プログラミングと電流プログラミングでデータ線に生じる電圧変化を検知し、電圧プログラミングの信号電圧の値を補正する。これは、第１、第２の実施形態と同様である。但し、本実施形態の方法では、図１の方法に比べて一回のプログラミングに用いることができる時間が２倍になっているので、より電流プログラミングに用いる時間を長く取れ、充分な補正が行うことが可能となる。従って、画像データに従った正しい値を発光素子に流すことができるようになる。更に、図１に比べると、元の映像信号を忠実に表示するので、画像を滑らかに表示することが可能となる。
【００９０】
図１２は上述のように本発明に発光素子として用いる有機ＥＬ素子と、それを駆動するための回路及び配線を示す模式的断面図である。図１２において、５３は有機ＥＬ素子からなる領域、５４はその有機ＥＬ素子５３を駆動するための回路部等からなる領域であり、ガラス等の基板５５上に作製されている。ここでは、有機ＥＬ素子５３と回路部５４を横に並べて配置する例について説明するが、縦に配置した構造であってもよい。また、有機ＥＬ素子５３の作製方法として、バンク（障壁）６３に挟まれた領域にノズル法やインクジェット法等により有機発光層５７を塗布する例を説明するが、蒸着法や光熱転写法等他の方法を用いても良い。
【００９１】
有機ＥＬ素子５３は少なくとも陽極５６及び陰極５８からなる一対の電極と、その一対の電極間に挟持された一層又は多層からなる有機発光層５７を有する。陽極５６は、例えば、ＩＴＯ等の透明性を有する電導体であり、スパッタ法等により作製する。陰極５８は、例えば、Ａｌ等の金属であり、蒸着法等により作製する。有機発光層５７には少なくとも発光に係る発光層が含まれており、陽極５６側から注入された正孔と、陰極５８側から注入された電子が発光層内で再結合することにより光が放出される。ここでは、放出された光は基板５５側に向かういわゆるボトムエミッションタイプを示しているが、基板５５と反対側に放出するトップエミッションタイプであってもよい。その場合は、陽極と陰極の配置を逆にするか、透明性を逆の電極に持たせることになる。
【００９２】
有機発光層５７は発光層一層でも発光させることは可能であるが、正孔や電子の注入性を高めるために正孔注入層、正孔輸送層、電子輸送層、電子注入層を発光層を挟む形で積層した構造でもよい。また、正孔と電子の密度のバランスと取るためや各層の材料が他の層に移動して素子が劣化することを防ぐための障壁層等を含んでいても良い。更に、発光層は蛍光発光を生じる蛍光材料からなるものでも良いし、蛍光材料をホストにして、りん光発光を生じるりん光材料をゲストとしてドーピングしたものでもよい。この有機ＥＬ素子５３を１つの発光点として利用して表示装置や照明装置、電子写真方式の画像形成装置の露光光源等に用いることができる。
【００９３】
回路部５４は有機ＥＬ素子５３に電流を供給するためのドライバトランジスタ（Ｄｒ−Ｔｒ）部５９と、データ線６０によって送られてきた画像データの値を書込むための保持容量部６１からなる。また不図示の選択線によって情報の書込みを許可するか、許可しないかのスイッチを行うスイッチトランジスタ（Ｓｗ−Ｔｒ）６２等からなる。
【００９４】
以上の第１乃至第３の実施形態で説明したように画素に対して同じ画像データを２回以上続けて表示するアクティブマトリクス型表示装置において、１回目のフレーム表示の時に電圧プログラミングによる電圧値を画素に書込む。また、２回目のフレーム表示の時に電圧プログラミングと電流プログラミングのデータ線電圧の差を検知し、データテーブルに書込まれているトランジスタの閾値電圧、飽和電流値、発光素子の端子間電圧等の輝度と電圧−電流信号の関係を書換える。そうすることで、トランジスタと有機ＥＬ素子の特性ばらつきや特性ドリフトを補正することが可能となる。
【００９５】
電圧プログラミングと電流プログラミングによる補正を２回目のフレーム表示期間で行うことで、電流プログラミングに使える時間を長く取ることが出来、補正の精度を上げることができる。また、図７に示すように上下二分割駆動の表示装置を用いた場合には、更に電流プログラミングに使える時間を長く取れると共に、画像の表示を忠実に行うことができる。
【００９６】
なお、図１や図７に示す表示装置では、画素に対して同じ画像データを２回ずつ表示する例を示したが、画像のぼけを防止したいという要求から、２回目の画像データを信号処理して表示する場合も考えられる。その際、上述のような電圧プログラミングと電流プログラミングを用いた補正の操作は頻繁に行う必要はない。そこで、通常は２回目の画像データとして、信号処理されたものを電圧プログラミングにより画素に書込むことにする。そして、予め決められた頻度または使用者の指令により、２回目の画像データとして、同じ画像データを表示し、上述のような電圧プログラミングと電流プログラミングによる補正をすることにしてもよい。
【００９７】
図１３は本発明の表示装置の使用例を示す。図１３（ａ）は本発明の表示装置を映像表示装置として使用した場合の外観を示す。筐体６５内には図１や図９に示す表示装置の他、テレビ放送の受信回路部、音声出力部、映像表示装置を制御する制御部等が内装されており、使用者の指令に従ってテレビ放送の映像を表示領域６４に表示することができる。画素として有機ＥＬ素子を用いた場合、自発光しているため黒表示と白表示の比率であるコントラストが大きく、高画質の表示が可能である。映像表示の他にコンピュータ等の制御装置のモニターとしても使用できる。
【００９８】
図１３（ｂ）は本発明の表示装置を携帯型機器である携帯電話機６７に使用した場合の外観を示す。図１３（ｃ）は同じく本発明の表示装置をデジタルスチルカメラ６９に使用した場合の外観を示す。これらは、静止画もしくは動画の入力装置や携帯型の情報入出力装置、更には携帯型のゲーム装置等にも応用できる。
【００９９】
図１３（ｂ）において、６７は携帯電話機の筐体であり、筐体６７内には図１や図９に示す表示装置の他、番号等の入力部、小型の映像入力部、音声や映像の送受信部、携帯型装置を制御する制御部等が内装されている。使用者の指令に従って入力部より入力された内容や映像入力部によって取り込んだ映像、もしくは受信した映像を表示領域６６に表示することができる。
【０１００】
図１３（ｃ）において、６９はデジタルスチルカメラの筐体であり、筐体６９内には図１や図９に示す表示装置の他、画像入力部、画像の記録部、画像の取り込み条件を設定する入力部、画像の取り込みの操作を行うスイッチ等が内装されている。使用者の指令に従って入力部より入力された内容や画像入力部によって取り込んだ画像、もしくは画像の記録部に記録していた画像を表示領域６８に表示することができる。
【０１０１】
これら携帯型装置の場合、静止画の表示や表示レートの遅い画像の表示が主体的であり、画素に対し同じ画像のデータを２回以上表示することが多くなる。その際、前述したように電圧プログラミングと電流プログラミングを別の表示期間で行うことで、電流プログラミングに使用する時間を充分に取れて補正が正確に行うことが可能となる。
【０１０２】
また、前述した映像表示装置と同様に画素として有機ＥＬ素子を用いた場合、自発光しているため黒表示と白表示の比率であるコントラストが大きく、高画質の表示が行うことが可能である。その他、液晶画面に比べ背景を輝度を低い画面にすることによって消費電力を低くでき、携帯型装置に好適に使用可能である。
【図面の簡単な説明】
【０１０３】
【図１】本発明に係る表示装置の第１の実施形態を示すブロック図である。
【図２】図１の画像変換回路の具体例を示す図である。
【図３】外部から送られてくる映像データと画像変換回路により変換された表示データを示す図である。
【図４】第１の実施形態の走査線毎の表示タイミングを説明する図である。
【図５】第１の実施形態の表示部の具体例を示す図である。
【図６】第１の実施形態の画素と制御ユニットの一例を示す図である。
【図７】第１の実施形態の動作を示すタイミングチャートである。
【図８】本発明の第２実施形態の動作を示すタイミングチャートである。
【図９】本発明の第３の実施形態を示すブロック図である。
【図１０】図９の画像変換回路の具体例を示す図である。
【図１１】第３の実施形態の外部から送られてくる映像データと画像変換回路により変換された表示データを示す図である。
【図１２】本発明に用いる有機ＥＬ素子及びそれを駆動する回路の例を示す模式的断面図である。
【図１３】本発明の表示装置を使用した装置の外観の一例を示す図である。
【符号の説明】
【０１０４】
１  表示装置
２  映像信号
３  表示制御部
４  Ａ／Ｄ変換回路
５  画像変換回路
６  駆動制御回路
７  Ｘドライバ
８  Ｙドライバ
９  マトリクス型表示部
１８  データ線
１９  選択線
２０  画素
２１  回路部
２２  有機ＥＬ素子
２３  制御ユニット
２４、２５  スイッチトランジスタ
２７  ドライブトランジスタ
２８  保持容量
３０  電圧差検出回路
３１  論理回路／制御回路
３２  データテーブル
３３  電圧源
３４  電流源
３５、３６  スイッチ
３７  容量
３８  マトリクス型上下２分割駆動の表示部
３９  上側Ｘドライバ
４０  下側Ｘドライバ
７０  信号生成回路
７１  信号補正回路
【図１】
2009200409.tif 000003
【図２】
2009200409.tif 000004
【図３】
2009200409.tif 000005
【図４】
2009200409.tif 000006
【図５】
2009200409.tif 000007
【図６】
2009200409.tif 000008
【図７】
2009200409.tif 000009
【図８】
2009200409.tif 000010
【図９】
2009200409.tif 000011
【図１０】
2009200409.tif 000012
【図１１】
2009200409.tif 000013
【図１２】
2009200409.tif 000014
【図１３】
2009200409.tif 000015